(57)【要約】【課題】端子ピッチのバラツキが大きくなっても、これを吸収することが可能な接続モジュールを提供する。【解決手段】第１分割体３１は、バスバー収容部１１と、１個分のバスバー収容部１１に対応する欠落部分３１０とが交互に配列されている。第２分割体３２にも、バスバー収容部１１と、１個分のバスバー収容部１１に対応する欠落部分３２０とが交互に配列されている。接続モジュール１は、第１分割体３１と第２分割体３２とを連結構造により連結して構成される。連結構造は、第１分割体３１と第２分割体３２とを、バスバー収容部１１の配列方向に沿って互いにスライド可能に連結する。【選択図】図４
2012004064.tif 000002
【特許請求の範囲】
【請求項１】
組電池の端子列において隣接する端子の対ごとに設けられて前記端子の対を電気的に接続するバスバーを、複数個保持する接続モジュールであって、
前記バスバーを１個収容するバスバー収容部を、一部に、ｎ（ただし、ｎは１以上の整数）個分の前記バスバー収容部に対応する欠落部分が形成された状態で、複数個配列した第１分割体と、
前記第１分割体と連結された状態において前記欠落部分に配置される前記バスバー収容部を備える第２分割体と、
前記第１分割体と前記第２分割体とを前記バスバー収容部の配列方向に沿って互いに変位可能な状態で連結する連結構造と、
を備え、
前記第１分割体が、
前記欠落部分をはさんで隣接する前記バスバー収容部を接続し、その接続方向に沿って弾性変形する接続部、
を備える接続モジュール。
【請求項２】
請求項１に記載の接続モジュールであって、
前記第１分割体が、複数の前記バスバー収容部を、互いに隣接する前記バスバー収容部の間に１個分の前記バスバー収容部に対応する欠落部分を形成して配列したものである接続モジュール。
【請求項３】
請求項２に記載の接続モジュールであって、
前記第２分割体が、複数の前記バスバー収容部を、互いに隣接する前記バスバー収容部の間に１個分の前記バスバー収容部に対応する欠落部分を形成して配列したものであり、
前記第１分割体と前記第２分割体とが連結された状態において、前記第１分割体における複数の前記欠落部分のそれぞれに、前記第２分割体が備える前記複数のバスバー収容部のそれぞれが配置される接続モジュール。
【請求項４】
請求項２に記載の接続モジュールであって、
前記第２分割体が、前記バスバー収容部を１個備え、
前記第１分割体と前記第２分割体とが連結された状態において、前記第１分割体における複数の前記欠落部分のそれぞれに、前記第２分割体が配置される接続モジュール。
【請求項５】
請求項２に記載の接続モジュールであって、
前記第１分割体が、２個の前記バスバー収容部を、互いの間に１個分の前記バスバー収容部に対応する欠落部分を形成して配列したものであるとともに、前記第２分割体が、２個の前記バスバー収容部を、互いの間に１個分の前記バスバー収容部に対応する欠落部分を形成して配列したものであり、
前記第１分割体と前記第２分割体とが連結された状態において、前記第１分割体における前記欠落部分に、前記第２分割体が備える前記バスバー収容部の一方が配置される接続モジュール。
【請求項６】
請求項３または５に記載の接続モジュールであって、
前記第２分割体が、
前記欠落部分をはさんで隣接する前記バスバー収容部を接続し、その接続方向に沿って弾性変形する接続部、
を備える接続モジュール。
【請求項７】
請求項１から６のいずれかに記載の接続モジュールであって、
前記連結構造が、
前記第１分割体の前記接続部における、前記接続方向を長手方向とする長孔が形成された部分と、
前記欠落部分に配置される前記第２分割体の前記バスバー収容部に突設され、前記長孔に挿通されることによって、前記接続部に対して、前記長孔に沿って移動可能に連結される突起部と、
を備える接続モジュール。
【請求項８】
請求項１から７のいずれかに記載の接続モジュールであって、
前記接続部は、
前記接続方向に加わる力により、曲げ形状が弾性変形して前記接続方向の長さが変化する曲げ部、
を備える接続モジュール。
【請求項９】
請求項１から７のいずれかに記載の接続モジュールであって、
前記接続部に、前記接続方向と交差する方向の切り込みが形成される接続モジュール。
【発明の詳細な説明】
【技術分野】
【０００１】
この発明は、組電池の端子列において隣接する端子の対ごとに設けられて端子の対を電気的に接続するバスバーを、複数個保持する接続モジュールに関する。
【背景技術】
【０００２】
ハイブリッド自動車や電気自動車など、比較的高い出力電圧を必要とする各種の機器においては、組電池が利用されることが多い。組電池とは、複数の電池セルを配列したものであり、これら複数の電池セルを電気的に直列に接続することによって高い出力電圧を得るものである。
【０００３】
図１７には、組電池９００、および、組電池９００を構成する複数の電池セル９を直列に接続するための接続モジュール９２の構成が模式的に示されている。
【０００４】
組電池９００は、所定方向に沿って配列された複数の電池セル９を備える。複数の電池セル９は、電池ケース（図示省略）内において、所定方向（Ｙ方向）に沿って配列される。
【０００５】
複数の電池セル９は、電池ケース内において、その端子形成面（一対の端子（正端子９０１および負端子９０２）が形成された面）を上に向けて配列される。さらに、複数の電池セル９は、それぞれの正端子９０１と負端子９０２とが交互に重ね合わされて配列される。したがって、複数の電池セル９の配列方向（Ｙ方向）に沿って形成される２個の端子列９０３のそれぞれにおいては、正端子９０１と負端子９０２とが交互に並ぶことになる。
【０００６】
各端子列９０３には、接続モジュール９２が取り付けられる。接続モジュール９２は、絶縁性材料で形成されるバスバーケース９２１に、複数個のバスバー９２２が収容された構成となっている。バスバー９２２とは、導電性材料で形成される板状の部材であり、電池セル９の端子を挿通させるための貫通孔が２個、あるいは、１個形成されている。具体的には、一方の接続モジュール９２の両端に配置されるバスバー９２２（９２２１）には１個の貫通孔が、その他のバスバー９２２（９２２２）には２個の貫通孔が、それぞれ形成されている。接続モジュール９２が端子列９０３に取り付けられた状態において、端子列９０３に配列された各端子が、バスバーケース９２１に収容されたバスバー９２２に形成された各貫通孔に挿通される。バスバー９２２２の２個の貫通孔のそれぞれに、端子列９０３において隣接する正端子９０１と負端子９０２とがそれぞれ挿通されることによって、当該隣接する正端子９０１と負端子９０２とが電気的に接続されることになる。一方、バスバー９２２１の１個の貫通孔には、一方の端子列９０３の端に位置する端子が挿通される。このように、各端子列９０３に接続モジュール９２が取り付けられることによって、組電池９００を構成する複数の電池セル９が電気的に直列に接続されることになる。
【０００７】
接続モジュール９２を用いることによって、バスバーの取り付けに係る作業性を大幅に向上させることができる。すなわち、組電池９００を構成する複数の電池セル９を電気的に直列に接続するためには、複数個のバスバー９２２を組電池９００に取り付けなければならないところ、バスバー９２２を１つずつ組電池９００に取り付けようとすると、取り付け作業に非常に手間がかかる。これに対し、複数のバスバー９２２を予め１個の接続モジュール９２に保持させておけば、接続モジュール９２を組電池９００に取り付けるだけでそこに保持された複数のバスバー９２２を一度に組電池９００に取り付けることができる。
【０００８】
ところで、組電池の端子列における複数の端子の間隔（端子ピッチ）には、寸法公差と電池の充放電に伴う膨張または収縮に起因するバラツキが存在している（以下「端子ピッチのバラツキ」という）。したがって、端子列に配列されている複数の端子のそれぞれに装着されるバスバーを一体に組み込む接続モジュールにおいては、この端子ピッチのバラツキを吸収できるような工夫が求められる。
【０００９】
特に、配列される電池セルの個数が多い組電池においては、接続モジュールに吸収させるべき端子ピッチのバラツキも大きくなる。組電池において配列される電池セルの個数が多くなると、寸法公差が同じ方向に累積して、一部に非常に大きな端子ピッチのバラツキが生じてしまう可能性も高くなるからである。
【００１０】
例えば特許文献１では、バスバーを支持した状態で組電池に取り付けられる「接続プレート」に、その長手方向（すなわち、複数のバスバーの配列方向）と直交する切り込みを形成するとともに、切り込みの奥側に逃がし孔を形成して、「接続プレート」をその長手方向に沿って撓みやすい構成とし、これによって端子ピッチのバラツキを吸収することが提案されている。
【先行技術文献】
【特許文献】
【００１１】
【特許文献１】特開２０００−１４９９０９号公報
【発明の概要】
【発明が解決しようとする課題】
【００１２】
特許文献１においては、「接続プレート」自体を撓ませることによって端子ピッチのバラツキを吸収しようとしている。この構成によると、例えば組電池に配列される電池セルの個数が比較的少なく、端子ピッチのバラツキが微小な場合には対応可能であるものの、「接続プレート」を撓ませることができる範囲はそれほど大きくはない。したがって、例えば組電池に配列される電池セルの個数が比較的多く、端子ピッチのバラツキが大きい場合（「接続プレート」が撓める限度を超えるほど大きい場合）には対応できない。
【００１３】
この発明は、上記の課題に鑑みてなされたもので、端子ピッチのバラツキが大きくなっても、これを吸収することが可能な接続モジュールを提供することを目的としている。
【課題を解決するための手段】
【００１４】
第１の態様は、組電池の端子列において隣接する端子の対ごとに設けられて前記端子の対を電気的に接続するバスバーを、複数個保持する接続モジュールであって、前記バスバーを１個収容するバスバー収容部を、一部に、ｎ（ただし、ｎは１以上の整数）個分の前記バスバー収容部に対応する欠落部分が形成された状態で、複数個配列した第１分割体と、前記第１分割体と連結された状態において前記欠落部分に配置される前記バスバー収容部を備える第２分割体と、前記第１分割体と前記第２分割体とを前記バスバー収容部の配列方向に沿って互いに変位可能な状態で連結する連結構造と、を備え、前記第１分割体が、前記欠落部分をはさんで隣接する前記バスバー収容部を接続し、その接続方向に沿って弾性変形する接続部、を備える。
【００１５】
第２の態様は、第１の態様に係る接続モジュールであって、前記第１分割体が、複数の前記バスバー収容部を、互いに隣接する前記バスバー収容部の間に１個分の前記バスバー収容部に対応する欠落部分を形成して配列したものである。
【００１６】
第３の態様は、第２の態様に係る接続モジュールであって、前記第２分割体が、複数の前記バスバー収容部を、互いに隣接する前記バスバー収容部の間に１個分の前記バスバー収容部に対応する欠落部分を形成して配列したものであり、前記第１分割体と前記第２分割体とが連結された状態において、前記第１分割体における複数の前記欠落部分のそれぞれに、前記第２分割体が備える前記複数のバスバー収容部のそれぞれが配置される。
【００１７】
第４の態様は、第２の態様に係る接続モジュールであって、前記第２分割体が、前記バスバー収容部を１個備え、前記第１分割体と前記第２分割体とが連結された状態において、前記第１分割体における複数の前記欠落部分のそれぞれに、前記第２分割体が配置される。
【００１８】
第５の態様は、第２の態様に係る接続モジュールであって、前記第１分割体が、２個の前記バスバー収容部を、互いの間に１個分の前記バスバー収容部に対応する欠落部分を形成して配列したものであるとともに、前記第２分割体が、２個の前記バスバー収容部を、互いの間に１個分の前記バスバー収容部に対応する欠落部分を形成して配列したものであり、前記第１分割体と前記第２分割体とが連結された状態において、前記第１分割体における前記欠落部分に、前記第２分割体が備える前記バスバー収容部の一方が配置される。
【００１９】
第６の態様は、第３または第５の態様に係る接続モジュールであって、前記第２分割体が、前記欠落部分をはさんで隣接する前記バスバー収容部を接続し、その接続方向に沿って弾性変形する接続部、を備える。
【００２０】
第７の態様は、第１から第６のいずれかの態様に係る接続モジュールであって、前記連結構造が、前記第１分割体の前記接続部における、前記接続方向を長手方向とする長孔が形成された部分と、前記欠落部分に配置される前記第２分割体の前記バスバー収容部に突設され、前記長孔に挿通されることによって、前記接続部に対して、前記長孔に沿って移動可能に連結される突起部と、を備える。
【００２１】
第８の態様は、第１から第７のいずれかの態様に係る接続モジュールであって、前記接続部は、前記接続方向に加わる力により、曲げ形状が弾性変形して前記接続方向の長さが変化する曲げ部、を備える。
【００２２】
第９の対応は、第１から第７のいずれかの態様に係る接続モジュールであって、前記接続部に、前記接続方向と交差する方向の切り込みが形成される。
【発明の効果】
【００２３】
第１〜第９の態様によると、第１分割体と第２分割体とが、バスバー収容部の配列方向に沿って互いに変位可能に連結されるとともに、第１分割体において欠落部分をはさんで隣接するバスバー収容部を接続する接続部がその接続方向に沿って弾性変形するように構成される。したがって、第１分割体と第２分割体とが連結された状態において、配列された複数のバスバー収容部のそれぞれが、その配列方向に沿って大きく（すなわち、接続部の弾性変形による変位量と、連結構造による変位量とを加算したトータルの変位量で）変位することが許容される。したがって、従来の弾性変形のみの変位量では対応できないほどに端子ピッチのバラツキが大きい場合でも、接続モジュールにおいてこれを吸収することが可能となる。
【図面の簡単な説明】
【００２４】
【図１】組電池およびこれに組み付けられた接続モジュールを模式的に示す平面図である。
【図２】第１の実施の形態に係る第１分割体を示す図である。
【図３】第１の実施の形態に係る第２分割体を示す図である。
【図４】第１分割体と第２分割体とが連結される様子を示す図である。
【図５】第１の実施の形態に係る接続モジュールの平面図である。
【図６】第１の実施の形態に係る接続モジュールの一部を拡大して示す図である。
【図７】第２の実施の形態に係る第１分割体を示す図である。
【図８】第２の実施の形態に係る第２分割体を示す図である。
【図９】第１分割体と第２分割体とが連結される様子を示す図である。
【図１０】第２の実施の形態に係る接続モジュールの平面図である。
【図１１】第２の実施の形態に係る接続モジュールの一部を拡大して示す図である。
【図１２】第３の実施の形態に係る第１分割体を示す図である。
【図１３】第３の実施の形態に係る第２分割体を示す図である。
【図１４】第１分割体と第２分割体とが連結される様子を示す図である。
【図１５】第３の実施の形態に係る接続モジュールの平面図である。
【図１６】接続モジュール群を示す図である。
【図１７】従来の接続モジュールの構成を模式的に示す図である。
【発明を実施するための形態】
【００２５】
＜Ｉ．第１の実施の形態＞
この発明の第１の実施の形態に係る接続モジュール１について説明する。
【００２６】
＜１．概要＞
はじめに、組電池９００およびこれに組み付けられる接続モジュール１の概要について図１を参照しながら説明する。図１は、組電池９００およびこれに組み付けられた接続モジュール１を模式的に示す平面図である。なお、図１には、Ｘ方向が、複数の電池セル９が配列された方向に沿い、Ｙ方向が、各電池セル９において電極が配列された方向（電池セル９の幅方向）に沿い、Ｚ方向が、各電池セル９の高さ方向に沿う、ＸＹＺ座標を付している。
【００２７】
＜１−１．組電池９００＞
組電池９００は、複数の電池セル９を電池セルケース（図示省略）内に配置したものである。組電池９００を構成する複数の電池セル９は、その端子形成面（一対の端子（正端子９０１および負端子９０２）が形成された面）を上に向けるとともに、その鉛直面が互いに平行となる姿勢で一列に並んで配列される。なお、図１においては、２４個の電池セル９を備える組電池９００が例示されているが、組電池９００が備える電池セル９の個数はこれに限らない。また、組電池９００は、一列に配列された複数の電池セル９のセットを複数列分備える場合もある。
【００２８】
電池セルケース内に配列される複数の電池セル９は、その正端子９０１と負端子９０２とが交互に重ね合わされており、複数の電池セル９の配列方向（Ｘ方向）に沿って形成される端子列９０３においては、正端子９０１と負端子９０２とが交互に並ぶ。ただし、各端子列９０３における、端子９０１，９０２の配列間隔（ピッチ）には、寸法公差と電池の充放電に伴う膨張または収縮に起因する微小なバラツキ（端子ピッチのバラツキ）が存在している。
【００２９】
＜１−２．接続モジュール１＞
＜１−２−１．全体構成＞
接続モジュール１は、組電池９００に形成される２つの端子列９０３のそれぞれに取り付けられる。ただし、図１においては、便宜上、−Ｙ側の端子列９０３のみに接続モジュール１が取り付けられている状態が示されているが、実際は＋Ｙ側の端子列９０３にもこれとほぼ同様の接続モジュール１が取り付けられる。
【００３０】
接続モジュール１は、一定方向に沿って、端子の配列に合わせて配置された複数のバスバー収容部１１と、バスバー収容部１１の配列方向に沿って、バスバー収容部１１と並行に形成される導線収容路１２とを備える。バスバー収容部１１および導線収容路１２はいずれも、絶縁性および若干の可撓性を備える樹脂材料などを用いて形成される。
【００３１】
端子列９０３に取り付けられる際には、各バスバー収容部１１に、バスバー２０および電圧検出金具２１が収容される。
【００３２】
バスバー２０は、金属などの導電性部材で形成された板状の部材である。一方の端子列９０３（＋Ｙ側の端子列９０３）に取り付けられる接続モジュール１において、両端に配置されるバスバー収容部１１に収容されるバスバー２０には１個の貫通孔が形成されており、その他のバスバー収容部１１に収容されるバスバー２０には２個の貫通孔２０１が形成されている。
【００３３】
各バスバー収容部１１にバスバー２０が収容された接続モジュール１が、端子列９０３に取り付けられた状態において、端子列９０３に配列された各端子が、各バスバー２０に形成された各貫通孔に挿通される。同一のバスバー２０に形成された２個の貫通孔のそれぞれに、端子列９０３において隣接する正端子９０１と負端子９０２とがそれぞれ挿通されることによって、当該隣接する正端子９０１と負端子９０２とが電気的に接続される。一方、１個の貫通孔が形成されたバスバー２０の当該１個の貫通孔には、一方の端子列９０３の端に位置する端子が挿通される。
【００３４】
このように、複数のバスバー２０を保持した接続モジュール１が各端子列９０３に取り付けられることによって、各端子列９０３において隣接する正端子９０１と負端子９０２とが電気的に接続され、組電池９００を構成する複数の電池セル９が直列に接続されることになる。
【００３５】
電圧検出金具２１は、電圧監視用回路（図示省略）につながる導線２１１の端部に設けられ、導線２１１と端子９０２とを電気的に接続する端子である。
【００３６】
配列された複数のバスバー収容部１１のそれぞれに収容された電圧検出金具２１から伸びる導線２１１は、バスバー収容部１１と並行に形成される導線収容路１２に収容され、これに沿って電圧監視用回路（図示省略）に導かれる。
【００３７】
＜１−２−２．具体的な構成＞
接続モジュール１の具体的な構成について、図５、図６を参照しながらより具体的に説明する。図５は、接続モジュール１の平面図である。また、図６は、接続モジュール１の一部を拡大して示す図である。なお、図５、図６においては、バスバー収容部１１にバスバー２０および電圧検出金具２１が収容されていない状態の接続モジュール１が示されている。以下に参照する図２〜図１６においても同様である。また、図２〜１６には、Ｘ方向が、バスバー収容部１１が配列された方向に沿い、Ｚ方向が、各バスバー収容部１１の高さ方向に沿う、ＸＹＺ座標を付している。
【００３８】
上述したとおり、接続モジュール１は、所定方向（Ｘ方向）に沿って連続して配置された複数のバスバー収容部１１と、バスバー収容部１１の配列方向に沿って形成される導線収容路１２とを備える。
【００３９】
＜バスバー収容部１１＞
バスバー収容部１１は、上述したとおり、その内部にバスバー２０および電圧検出金具２１を収容する部材である（図１参照）。バスバー収容部１１の詳細な構成について、図６を参照しながら説明する。
【００４０】
バスバー収容部１１は、その内部に収容されるバスバー２０などを支持するための支持面１１１を備える。支持面１１１は、支持されるバスバー２０の２個の貫通孔のそれぞれに相当する位置に形成された窓１１１１を備える。接続モジュール１が端子列９０３に取り付けられた状態において、電池セル９の端子９０１，９０２は、この窓１１１１を介してバスバー２０の貫通孔に挿通されることになる（図１参照）。
【００４１】
また、バスバー収容部１１は、その内部に収容されるバスバー２０を周囲から絶縁するための周壁１１２，１１３，１１４を備える。具体的には、複数のバスバー収容部１１の配列方向（Ｘ方向）に沿う、壁（導線収容路１２側の壁である前壁１１２、および、前壁１１２と対向する後壁１１３）と、これらの壁１１２，１１３と垂直な壁（側壁１１４）とを備える。
【００４２】
ただし、側壁１１４については必ずしも全てのバスバー収容部１１において形成される必要はなく、この実施の形態においては、配列された複数個のバスバー収容部１１のうちの１個おきのバスバー収容部１１に側壁１１４が形成されている。このような構成でも、隣接する２個のバスバー収容部１１の間に障壁となる側壁１１４が１つ形成されるため、隣接する２個のバスバー収容部１１のそれぞれに収容されるバスバー２０が接触することが防止される。なお、側壁１１４が形成されていないバスバー収容部１１においては、収容されたバスバー２０などが飛び出してしまわないようにこれらを係止するための係止爪１１５が形成されることが好ましい。
【００４３】
また、バスバー収容部１１は、その内部に収容される電圧検出金具２１と接続される導線２１１を導線収容路１２に導くための案内路１１６を備える。
【００４４】
＜導線収容路１２＞
導線収容路１２は、上述したとおり、バスバー収容部１１に収容された電圧検出金具２１から伸びる導線２１１を収容して外部回路に導く部材である（図１参照）。導線収容路１２の詳細な構成について、図６を参照しながら説明する。
【００４５】
導線収容路１２は、その内部に導線２１１を収容するべく、樋状に形成される。導線収容路１２には、その内部に収容された導線２１１を収容路内に束ね入れるための導線押さえ爪１２１が間隔をおいて形成される。また、導線収容路１２には、案内路１１６と対応する位置に、案内路１１６と導線収容路１２とを連通させるための導入開口１２２が形成される。接続モジュール１が端子列９０３に取り付けられた状態において、バスバー収容部１１に収容された電圧検出金具２１と接続される導線２１１は、案内路１１６および導入開口１２２を介して導線収容路１２内に導かれる（図１参照）。なお、後に明らかになるように、案内路１１６と導線収容路１２とは、導入開口１２２の形成位置において互いに接合されている場合もあり、近接しているだけの場合もある。
【００４６】
導線収容路１２は、その経路上の複数の箇所に微小な隙間１２３が形成され、これにより導線収容路１２は複数の導線収容路片１２４に区分されている。すなわち、導線収容路１２は、複数の導線収容路片１２４が微小な隙間１２３をおいて一列に配列されることによって構成されている。
【００４７】
＜２．分割体３＞
接続モジュール１は、複数の分割体３を連結することにより構成される。この実施の形態においては、接続モジュール１は、１個の第１の分割体３（第１分割体３１）と、１個の第２の分割体３（第２分割体３２）とを連結することにより構成される。
【００４８】
＜２−１．第１分割体３１＞
第１分割体３１の構成について、図２を参照しながら説明する。図２には、第１分割体３１の平面図（下段）と、第１分割体３１を矢印Ｋ方向から見た側面図（上段）とが対応付けて示されている。ただし、図に付されているＸＹＺ座標系は平面図に対応したものである。
【００４９】
第１分割体３１は、一定方向（Ｘ方向）に沿って配列されたｍ個（ただし、ｍは２以上の任意の自然数であり、図２の例においてはｍ＝６）のバスバー収容部１１を備える。ただし、互いに隣接するバスバー収容部１１の間には、１個分のバスバー収容部１１に対応する欠落部分３１０（具体的には、１個分のバスバー収容部１１を嵌め込むことができるような幅の隙間）が形成されている。すなわち、第１分割体３１においては、ｍ個のバスバー収容部１１のそれぞれの所定側（図の例では−Ｘ側）の隣に欠落部分３１０が形成され、バスバー収容部１１と欠落部分３１０とが交互に配列されている。
【００５０】
バスバー収容部１１の構成については上述したとおりである。すなわち、バスバー収容部１１は、支持面１１１と、周壁１１２，１１３，１１４と、案内路１１６とを備える。以下において、第１分割体３１が備えるバスバー収容部１１を特に「第１バスバー収容部３１１」ともいう。
【００５１】
第１分割体３１は、さらに、欠落部分３１０をはさんで隣接する第１バスバー収容部３１１を接続する接続部３１２を備える。接続部３１２は、第１バスバー収容部３１１の接続方向（Ｘ方向）に沿って長尺に形成された部材であり、曲げ部３１２１と、長孔３１２２とを備える。
【００５２】
曲げ部３１２１は、接続部３１２の長手方向（Ｘ方向）に沿う両端（バスバー収容部１１とつながる部分）においてＳ字状の曲げ形状に形成された部分である。接続部３１２に、その接続方向に沿った力が加わると、この曲げ形状が弾性変形することにより、接続部３１２の接続方向に沿った長さが変化する。すなわち、接続部３１２は、その接続方向に沿って弾性変形可能に構成されている。
【００５３】
ｍ個の第１バスバー収容部３１１を接続する各接続部３１２が接続方向に沿って弾性変形可能に構成されることによって、ｍ個の第１バスバー収容部３１１のそれぞれがその配列方向（Ｘ方向）に沿って変位することが可能となる。
【００５４】
長孔３１２２は、接続部３１２に形成された貫通孔であり、その長手方向を接続部３１２の接続方向（Ｘ方向）に沿わせて形成されている。長孔３１２２は、後述する「連結用留め具３２２」を挿通させる留め具挿通孔として機能する。留め具挿通孔が第１バスバー収容部３１１の接続方向に沿って長尺に形成されることによって、そこに挿通された連結用留め具３２２が当該長尺方向に沿って変位することが可能となる。
【００５５】
＜２−２．第２分割体３２＞
第２分割体３２の構成について、図３を参照しながら説明する。図３には、第２分割体３２の平面図（下段）と、第２分割体３２を矢印Ｋ方向から見た側面図（上段）とが対応付けて示されている。ただし、図に付されているＸＹＺ座標系は平面図に対応したものである。
【００５６】
第２分割体３２は、一定方向（Ｘ方向）に沿って配列されたｍ個のバスバー収容部１１を備える。ただし、互いに隣接するバスバー収容部１１の間には、１個分のバスバー収容部１１に対応する欠落部分３２０が形成されている。すなわち、第２分割体３２においては、ｍ個のバスバー収容部１１のそれぞれの所定側（図の例では＋Ｘ側）の隣に欠落部分３２０が形成され、バスバー収容部１１と欠落部分３２０とが交互に配列されている。
【００５７】
バスバー収容部１１の構成については上述したとおりである。ただし、第２分割体３２が備えるバスバー収容部１１は、側壁１１４を備えない。すなわち、第２分割体３２が備えるバスバー収容部１１は、支持面１１１と、周壁１１２，１１３と、係止爪１１５と、案内路１１６とを備える。以下において、第２分割体３２が備えるバスバー収容部１１を特に「第２バスバー収容部３２１」ともいう。
【００５８】
第２バスバー収容部３２１は、その後壁１１３に形成された連結用留め具３２２を備える。連結用留め具３２２は、後壁１１３に突設された突起部である。連結用留め具３２２が、第１分割体３１が備える長孔３１２２に挿通されることによって、第１分割体３１と第２分割体３２とが連結される。
【００５９】
第２分割体３２は、さらに、複数の第２バスバー収容部３２１の配列と並行して形成された導線収容路１２を備える。
【００６０】
第２分割体３２においては、導線収容路１２を構成する複数の導線収容路片１２４のそれぞれが、隣接する第２バスバー収容部３２１を接続する接続部として機能する。すなわち、欠落部分３２０をはさんで隣接する第２バスバー収容部３２１は、導線収容路１２を構成する導線収容路片１２４を介して互いに接続される。
【００６１】
具体的には、任意の第２バスバー収容部３２１に着目すると、当該第２バスバー収容部３２１は、案内路１１６を介して導線収容路片１２４の一端（＋Ｘ側端）付近と接続される一方で、補助接続部１１７を介して隣接する導線収容路片１２４（案内路１１６を介して接続された導線収容路片１２４の＋Ｘ側に、隙間１２３をおいて隣接する導線収容路片１２４）の一端（−Ｘ側端）付近と接続される。また、当該隣接する導線収容路片１２４の他端（＋Ｘ側端）付近は、着目する第２バスバー収容部３２１の＋Ｘ側に隣接する第２バスバー収容部３２１と接続される。
【００６２】
接続部として機能する導線収容路片１２４には、その長手方向（すなわち、第２バスバー収容部３２１の接続方向）（Ｘ方向）と交差する方向（この実施の形態においては、接続方向と垂直な方向）の切り込み１２４１が１個以上（例えば２個）形成されている。導線収容路片１２４に、その接続方向に沿った力が加わると、この切り込み１２４１部分が開く、あるいは閉じるように弾性変形することにより、導線収容路片１２４の接続方向に沿った長さが変化する。すなわち、導線収容路片１２４は、その接続方向に沿って弾性変形可能に構成されている。
【００６３】
ｍ個の第２バスバー収容部３２１を接続する各導線収容路片１２４が接続方向に沿って弾性変形可能に構成されることによって、ｍ個の第２バスバー収容部３２１のそれぞれがその配列方向（Ｘ方向）に沿って変位することが可能となる。
【００６４】
さらに、上述したとおり、複数の導線収容路片１２４は、隙間１２３をおいて配列されている。隙間１２３が形成されることによって、個々の導線収容路片１２４がその配列方向に沿って変位することが可能となる。したがって、２分割体３２において、ｍ個の第２バスバー収容部３２１のそれぞれがその配列方向に沿って大きく変位することが許容される。
【００６５】
＜２−３．連結された分割体＞
第１分割体３１と第２分割体３２とが連結されることにより形成される接続モジュール１について、図４〜図６を参照しながら説明する。図４は、第１分割体３１と第２分割体３２とが連結される様子を示す図である。図５は、第１分割体３１と第２分割体３２とが連結されることにより形成される接続モジュール１を示す図である。図６は、接続モジュール１の一部を拡大して示す図である。
【００６６】
接続モジュール１は、欠落部分３１０をはさんで配列されたｍ個の第１バスバー収容部３１１を備える第１分割体３１と、欠落部分３２０をはさんで配列されたｍ個の第２バスバー収容部３２１を備える第２分割体３２とが、１個対１個で連結されることによって形成される。
【００６７】
具体的には、第１分割体３１における複数の欠落部分３１０のそれぞれに、１個の第２バスバー収容部３２１が配置されて、（すなわち、同時に、第２分割体３２における複数の欠落部分３２０のそれぞれに、１個の第１バスバー収容部３１１が配置されて、）接続部３１２と第２バスバー収容部３２１との間に連結構造３０が形成される。得られる接続モジュール１においては、第１バスバー収容部３１１と第２バスバー収容部３２１とが交互に並ぶことによって、「２ｍ」個のバスバー収容部１１が連続して配列されることになる。
【００６８】
接続部３１２と第２バスバー収容部３２１との間に形成される連結構造３０は、具体的には、第２バスバー収容部３２１に形成された連結用留め具３２２が、接続部３１２に形成された長孔３１２２に挿通されることによって形成される。ただし、上述したとおり、長孔３１２２は、その長手方向を接続部３１２の接続方向に沿わせて形成されている。したがって、連結用留め具３２２は、長孔３１２２に挿通された状態において、長孔３１２２の長尺幅Ｈの範囲で自在にスライドすることができる。つまり、連結構造３０は、バスバー収容部１１の配列方向に沿って各分割体３１，３２を互いに変位（スライド）可能な状態で連結する連結構造となっている。これによって、第１分割体３１が備えるｍ個の第１バスバー収容部３１１と、第２分割体３２が備えるｍ個の第２バスバー収容部３２１とが、連結構造３０のスライド幅の範囲において、互いに独立して、その配列方向に沿って変位することが可能となる。
【００６９】
＜３．効果＞
上記の実施の形態に係る接続モジュール１は、第１分割体３１と第２分割体３２とを連結構造３０により連結することにより構成されている。ここでは、第１分割体３１と第２分割体３２とが、バスバー収容部１１の配列方向に沿って互いに変位可能に連結されるとともに、各第１分割体３１，３２において欠落部分３１０，３２０をはさんで隣接するバスバー収容部１１を接続する接続部（第１分割体３１においては接続部１１、第２分割体３２においては接続部として機能する導線収容路片１２４）がその接続方向に沿って弾性変形するように構成される。したがって、第１分割体３１と第２分割体３２とが連結された状態において、配列された複数のバスバー収容部１１が、その配列方向に沿って大きく（すなわち、接続部１１、および、導線収容路片１２４の弾性変形による変位量と、連結構造３０による変位量とを加算したトータルの変位量で）変位することが許容される。したがって、従来の弾性変形のみの変位量では対応できないほどに端子ピッチのバラツキが大きい場合でも、接続モジュール１においてこれを吸収することが可能となる。
【００７０】
＜II．第２の実施の形態＞
この発明の第２の実施の形態に係る接続モジュール１ａについて説明する。なお、以下においては、第１の実施の形態と同じ構成については同じ符号を付して示し、その詳細な説明を省略する。
【００７１】
＜１．概要＞
組電池９００およびこれに組み付けられる接続モジュール１ａの概要は、第１の実施の形態と相違しない。すなわち、接続モジュール１ａは、所定方向に沿って連続して配置された複数のバスバー収容部１１と、バスバー収容部１１の配列方向に沿って、バスバー収容部１１と並行に形成される導線収容路１２を備える。バスバー収容部１１、導線収容路１２の構成は、第１の実施の形態において説明した通りである。
【００７２】
＜２．分割体４＞
接続モジュール１ａは、複数の分割体４を連結することにより構成される。この実施の形態においては、接続モジュール１ａは、１個の第１の分割体４（第１分割体４１）と、ｍ個（ｍは２以上の任意の自然数であり、第１分割体４１に形成される欠落部分４１０の個数）の第２の分割体４（第２分割体４２）とを連結することにより構成される。
【００７３】
＜２−１．第１分割体４１＞
第１分割体４１の構成について、図７を参照しながら説明する。図７には、第１分割体４１の平面図（下段）と、第１分割体４１を矢印Ｋ方向から見た側面図（上段）とが対応付けて示されている。ただし、図に付されているＸＹＺ座標系は平面図に対応したものである。
【００７４】
第１分割体４１は、一定方向（Ｘ方向）に沿って配列されたｍ個（ただし、ｍは２以上の任意の自然数であり、図７の例においてはｍ＝６）のバスバー収容部１１を備える。ただし、互いに隣接するバスバー収容部１１の間には、１個分のバスバー収容部１１に対応する欠落部分４１０が形成されている。すなわち、第１分割体４１においては、ｍ個のバスバー収容部１１のそれぞれの所定側（図の例では−Ｘ側）の隣に欠落部分４１０が形成され、バスバー収容部１１と欠落部分４１０とが交互に配列されている。
【００７５】
バスバー収容部１１の構成については上述したとおりである。すなわち、バスバー収容部１１は、支持面１１１と、周壁１１２，１１３，１１４と、案内路１１６とを備える。以下において、第１分割体４１が備えるバスバー収容部１１を特に「第１バスバー収容部４１１」ともいう。
【００７６】
第１分割体４１は、さらに、複数の第１バスバー収容部４１１のそれぞれと接続された導線収容路片１２４とを備える。すなわち、各第１バスバー収容部４１１は、案内路１１６を介して導線収容路片１２４と接続される。ただし、第１バスバー収容部４１１と接続される導線収容路片１２４は、その長手方向の長さが、第１バスバー収容部４１１の長手方向の長さと同じか、それより短いものとなっている。
【００７７】
第１分割体４１は、さらに、欠落部分４１０をはさんで隣接する第１バスバー収容部４１１を接続する接続部４１２を備える。接続部４１２の構成は、上述した第１分割体３１が備える接続部３１２の構成と同様である。すなわち、接続部４１２は、その長手方向（Ｘ方向）に沿う両端に形成された曲げ部４１２１と、長尺の貫通孔である長孔４１２２とを備える。
【００７８】
曲げ部４１２１が形成されることによって、接続部４１２は、その接続方向に沿って弾性変形することができる。これによって、ｍ個の第１バスバー収容部４１１のそれぞれがその配列方向（Ｘ方向）に沿って変位することが可能となる。また、留め具挿通孔として機能する長孔４１２２が、その長手方向を接続部４１２の接続方向に沿わせて形成されることによって、そこに挿通された連結用留め具４２２が当該長尺方向に沿って変位することが可能となる。
【００７９】
＜２−２．第２分割体４２＞
第２分割体４２の構成について、図８を参照しながら説明する。図８には、第２分割体４２の平面図（下段）と、第２分割体４２を矢印Ｋ方向から見た側面図（上段）とが対応付けて示されている。ただし、図に付されているＸＹＺ座標系は平面図に対応したものである。
【００８０】
第２分割体４２は、１個のバスバー収容部１１を備える。
【００８１】
バスバー収容部１１の構成については上述したとおりである。ただし、第２分割体４２が備えるバスバー収容部１１は、側壁１１４を備えない。すなわち、第２分割体４２が備えるバスバー収容部１１は、支持面１１１と、周壁１１２，１１３と、係止爪１１５と、案内路１１６とを備える。以下において、第２分割体４２が備えるバスバー収容部１１を特に「第２バスバー収容部４２１」ともいう。
【００８２】
第２バスバー収容部４２１は、その後壁１１３に形成された連結用留め具４２２を備える。連結用留め具４２２が、第１分割体４１が備える長孔４１２２に挿通されることによって、第１分割体４１と第２分割体４２とが連結される。
【００８３】
第２分割体４２は、さらに、第２バスバー収容部４２１と接続された導線収容路片１２４とを備える。すなわち、第２バスバー収容部４２１は、案内路１１６を介して導線収容路片１２４と接続される。
【００８４】
＜２−３．連結された分割体＞
第１分割体４１と第２分割体４２とが連結されることにより形成される接続モジュール１ａについて、図９〜図１１を参照しながら説明する。図９は、第１分割体４１と第２分割体４２とが連結される様子を示す図である。図１０は、第１分割体４１と第２分割体４２とが連結されることにより形成される接続モジュール１ａを示す図である。図１１は、接続モジュール１ａの一部を拡大して示す図である。
【００８５】
接続モジュール１ａは、欠落部分４１０をはさんで配列されたｍ個の第１バスバー収容部４１１を備える第１分割体４１と、１個の第２バスバー収容部４２１を備える第２分割体４２とが、１個対ｍ個で連結されることによって形成される。
【００８６】
具体的には、第１分割体４１における複数の欠落部分４１０のそれぞれに１個の第２分割体４２（第２バスバー収容部４２１）が配置されて、接続部４１２と第２バスバー収容部４２１との間に連結構造４０が形成される。得られる接続モジュール１ａにおいては、第１バスバー収容部４１１と第２バスバー収容部４２１とが交互に並ぶことによって、「２ｍ」個のバスバー収容部１１が連続して配列されることになる。
【００８７】
接続部４１２と第２バスバー収容部４２１との間に形成される連結構造４０は、具体的には、第２バスバー収容部４２１に形成された連結用留め具４２２が、接続部４１２に形成された長孔４１２２に挿通されることによって形成される。この連結構造４０は、上述した連結構造３０と同様、バスバー収容部１１の配列方向に沿って各分割体４１，４２を互いにスライド可能な状態で連結する連結構造となっている。これによって、第２バスバー収容部４２１が、第１バスバー収容部４１１の間において、連結構造４０のスライド幅（長孔４１２２の長尺幅）の範囲で配列方向（Ｘ方向）に沿って自由に変位することが可能となる。
【００８８】
＜３．効果＞
上記の実施の形態に係る接続モジュール１ａは、第１分割体４１と第２分割体４２とを連結構造４０により連結することにより構成されている。ここでも、第１の実施の形態と同様、第１分割体４１と第２分割体４２とが連結された状態において、配列された複数のバスバー収容部１１が、その配列方向に沿って大きく（すなわち、接続部４１２の弾性変形による変位量と、連結構造４０による変位量とを加算したトータルの変位量で）変位することが許容される。したがって、従来の弾性変形のみの変位量では対応できないほどに端子ピッチのバラツキが大きい場合でも、接続モジュール１ａにおいてこれを吸収することが可能となる。
【００８９】
＜III．第３の実施の形態＞
この発明の第３の実施の形態に係る接続モジュール１ｂについて説明する。なお、以下においては、第１の実施の形態と同じ構成については同じ符号を付して示し、その詳細な説明を省略する。
【００９０】
＜１．概要＞
組電池９００およびこれに組み付けられる接続モジュール１ａの概要は、第１の実施の形態と相違しない。すなわち、接続モジュール１ｂは、所定方向に沿って連続して配置された複数（具体的には４個）のバスバー収容部１１と、バスバー収容部１１の配列方向に沿って、バスバー収容部１１と並行に形成される導線収容路１２を備える。バスバー収容部１１、導線収容路１２の構成は、第１の実施の形態において説明した通りである。
【００９１】
なお、以下に説明するように、接続モジュール１ｂには４個のバスバー収容部１１が配列される。したがって、組電池９００が８個以上の電池セル９を配列して構成されている場合は、複数の接続モジュール１ｂを組電池９００の端子列９０３に取り付けることになる。例えば、組電池９００が、図１に示されるように２４個の電池セル９を配列したものである場合、図１６に示すように、３個の接続モジュール１ｂを組電池９００の端子列９０３に取り付ければよい。
【００９２】
＜２．分割体５＞
接続モジュール１ｂは、複数の分割体５を連結することにより構成される。この実施の形態においては、接続モジュール１ｂは、１個の第１の分割体５（第１分割体５１）と、１個の第２の分割体５（第２分割体５２）とを連結することにより構成される。
【００９３】
＜２−１．第１分割体５１＞
第１分割体５１の構成について、図１２を参照しながら説明する。図１２には、第１分割体５１の平面図（下段）と、第１分割体５１を矢印Ｋ方向から見た側面図（上段）とが対応付けて示されている。ただし、図に付されているＸＹＺ座標系は平面図に対応したものである。
【００９４】
第１分割体５１は、一定方向（Ｘ方向）に沿って配列された２個のバスバー収容部１１を備える。ただし、２個のバスバー収容部１１の間には、１個分のバスバー収容部１１に対応する欠落部分５１０が形成されている。すなわち、第１分割体５１においては、２個のバスバー収容部１１の間に欠落部分５１０が形成されている。
【００９５】
バスバー収容部１１の構成については上述したとおりである。すなわち、バスバー収容部１１は、支持面１１１と、周壁１１２，１１３，１１４と、案内路１１６とを備える。なお、第１分割体５１が備えるバスバー収容部１１は、側壁１１４を一方側（−Ｘ側）にしか備えない構成としている。＋Ｘ側には、係止爪１１５を形成してもよい。以下において、第１分割体５１が備えるバスバー収容部１１を特に「第１バスバー収容部５１１」ともいう。
【００９６】
第１分割体５１は、さらに、一方の第１バスバー収容部５１１と接続された導線収容路片１２４を備える。すなわち、第１分割体５１が備える２個の第１バスバー収容部５１１のうち、所定側（図の例では＋Ｘ側）に配置された第１バスバー収容部５１１は、案内路１１６を介して導線収容路片１２４と接続される。ただし、第１バスバー収容部５１１と接続される導線収容路片１２４は、その長手方向の長さが、第１バスバー収容部５１１の長手方向の長さと同じか、それより短いものとなっている。
【００９７】
第１分割体５１は、さらに、欠落部分５１０をはさんで隣接する２個の第１バスバー収容部５１１を接続する接続部５１２を備える。接続部５１２の構成は、上述した第１分割体３１が備える接続部３１２の構成と同様である。すなわち、接続部５１２は、その長手方向（Ｘ方向）に沿う両端に形成された曲げ部５１２１と、長尺の貫通孔である長孔５１２２とを備える。
【００９８】
曲げ部５１２１が形成されることによって、接続部５１２は、その接続方向に沿って弾性変形することができる。これによって、ｍ個の第１バスバー収容部５１１のそれぞれがその配列方向（Ｘ方向）に沿って変位することが可能となる。また、留め具挿通孔として機能する長孔５１２２が、その長手方向を接続部５１２の接続方向に沿わせて形成されることによって、そこに挿通された連結用留め具５２２が当該長尺方向に沿って変位することが可能となる。
【００９９】
＜２−２．第２分割体５２＞
第２分割体５２の構成について、図１３を参照しながら説明する。図１３には、第２分割体５２の平面図（下段）と、第２分割体５２を矢印Ｋ方向から見た側面図（上段）とが対応付けて示されている。ただし、図に付されているＸＹＺ座標系は平面図に対応したものである。
【０１００】
第２分割体５２は、一定方向（Ｘ方向）に沿って配列された２個のバスバー収容部１１を備える。ただし、２個のバスバー収容部１１の間には、１個分のバスバー収容部１１に対応する欠落部分５２０が形成されている。すなわち、第２分割体５２においては、２個のバスバー収容部１１の間に欠落部分５２０が形成されている。
【０１０１】
バスバー収容部１１の構成については上述したとおりである。すなわち、バスバー収容部１１は、支持面１１１と、周壁１１２，１１３，１１４と、案内路１１６とを備える。なお、第２分割体５２が備えるバスバー収容部１１は、側壁１１４を一方側（−Ｘ側）にしか備えない構成としている。＋Ｘ側には、係止爪１１５を形成してもよい。以下において、第２分割体５２が備えるバスバー収容部１１を特に「第２バスバー収容部５２１」ともいう。
【０１０２】
第２バスバー収容部５２１は、その後壁１１３に形成された連結用留め具５２２を備える。連結用留め具５２２が、第１分割体５１が備える長孔５１２２に挿通されることによって、第１分割体５１と第２分割体５２とが連結される。
【０１０３】
第２分割体５２は、さらに、２個の第２バスバー収容部５２１のそれぞれと接続された導線収容路片１２４を備える。
【０１０４】
第２分割体５２においては、導線収容路１２を構成する複数の導線収容路片１２４のそれぞれが、隣接する第２バスバー収容部５２１を接続する接続部として機能する。すなわち、欠落部分５２０をはさんで隣接する２個の第２バスバー収容部５２１は、導線収容路片１２４を介して互いに接続される。
【０１０５】
具体的には、第２分割体５２が備える２個の第２バスバー収容部５２１のうち、所定側（図の例では−Ｘ側）に配置された第２バスバー収容部５２１は、案内路１１６を介して導線収容路片１２４と接続される一方で、補助接続部１１７を介して隣接する導線収容路片１２４（案内路１１６を介して接続された導線収容路片１２４の＋Ｘ側に、隙間１２３をおいて隣接する導線収容路片１２４）の一端（−Ｘ側端）付近と接続される。また、当該隣接する導線収容路片１２４の他端（＋Ｘ側端）付近は、他方の第２バスバー収容部５２１（＋Ｘ側に配置された第２バスバー収容部５２１）と案内路１１６を介して接続される。この、一端において補助接続部１１７を介して一方の第２バスバー収容部５２１と接続され、他端において案内路１１６を介して他方の第２バスバー収容部５２１と接続される導線収容路片１２４が、２個の第２バスバー収容部５２１を接続する接続部として機能することになる。
【０１０６】
接続部として機能する導線収容路片１２４には、その長手方向（すなわち、第２バスバー収容部５２１の接続方向）（Ｘ方向）と交差する方向（この実施の形態においては、接続方向と垂直な方向）の切り込み１２４１が１個以上（例えば３個）形成されている。切り込み１２４１が形成されることによって、導線収容路片１２４は、その接続方向に沿って弾性変形することができる。これによって、２個の第１バスバー収容部１５１のそれぞれがその配列方向（Ｘ方向）に沿って変位することが可能となる。
【０１０７】
＜２−３．連結された分割体＞
第１分割体５１と第２分割体５２とが連結されることにより形成される接続モジュール１ｂについて、図１４〜図１６を参照しながら説明する。図１４は、第１分割体５１と第２分割体５２とが連結される様子を示す図である。図１５は、第１分割体５１と第２分割体５２とが連結されることにより形成される接続モジュール１ｂを示す図である。図１６は、複数の接続モジュール１ｂを配列した接続モジュール群を示す図である。
【０１０８】
接続モジュール１ｂは、欠落部分５１０をはさんで配列された２個の第１バスバー収容部５１１を備える第１分割体５１と、欠落部分５２０をはさんで配列された２個の第２バスバー収容部５２１を備える第２分割体５２とが、１個対１個で連結されることによって形成される。
【０１０９】
具体的には、第１分割体５１における欠落部分５１０に、第２バスバー収容部５２１（具体的には、第２分割体５２が備える２個の第２バスバー収容部５２１のうち、所定側（図の例では−Ｘ側）に配置された第２バスバー収容部５２１）が配置されて、接続部５１２と当該第２バスバー収容部５２１との間に連結構造５０が形成される。得られる接続モジュール１ｂにおいては、第１バスバー収容部５１１と第２バスバー収容部５２１とが交互に並ぶことによって、４個のバスバー収容部１１が連続して配列されることになる。
【０１１０】
接続部５１２と当該第２バスバー収容部５２１との間に形成される連結構造５０は、具体的には、第２バスバー収容部５２１に形成された突起部（連結用留め具５２２）が、接続部５１２に形成された長孔５１２２に挿通されることによって形成される。この連結構造５０は、上述した連結構造３０と同様、バスバー収容部１１の配列方向に沿って各分割体５１，５２を互いにスライド可能な状態で連結する連結構造となっている。これによって、第２バスバー収容部５２１が、２個の第１バスバー収容部５１１の間において、連結構造５０のスライド幅（長孔５１２２の長尺幅）の範囲で配列方向（Ｘ方向）に沿って自由に変位することが可能となる。
【０１１１】
＜３．効果＞
上記の実施の形態に係る接続モジュール１ｂは、第１分割体５１と第２分割体５２とを連結構造５０により連結することにより構成されている。ここでも、第１の実施の形態と同様、第１分割体５１と第２分割体５２とが連結された状態において、配列された複数のバスバー収容部１１が、その配列方向に沿って大きく（すなわち、接続部５１２、および、導線収容路片１２４それぞれの弾性変形による変位量と、連結構造５０による変位量とを加算したトータルの変位量で）変位することが許容される。したがって、従来の弾性変形のみの変位量では対応できないほどに端子ピッチのバラツキが大きい場合でも、接続モジュール１ａにおいてこれを吸収することが可能となる。
【０１１２】
＜IV．変形例＞
上記の実施の形態においては、例えば第１分割体３１においては、バスバー収容部１１を１個おいて欠落部分３１０が形成されるものとしたが、欠落部分３１０を形成する間隔（ピッチ）はこれに限らない。例えば、バスバー収容部１１を２個おいて欠落部分３１０を形成してもよい。すなわち、隣りあう欠落部分３１０の間に２個以上のバスバー収容部１１が配列されてもよい。また、不規則に欠落部分３１０が現れる構成としてもよい。第２分割体３２、第１分割体４１においても同様である。
【０１１３】
また、上記の実施の形態においては、欠落部分３１０は、１個分のバスバー収容部１１に対応するものとしたが、ｎ（ただし、ｎは１以上の整数）個分のバスバー収容部１１に対応するものであってもよい。第２分割体３２、第１分割体４１においても同様である。例えば、第１分割体４１における欠落部分４１０を、２個分のバスバー収容部１１に対応するものとすることができる。この場合、当該欠落部分４１０に、２個の第２分割体４２が連結されることになる。
【０１１４】
また、欠落部分をはさんで隣接するバスバー収容部１１を接続する機能部（例えば、第１分割体３１における接続部３１２、第２分割体３２における導線収容路片１２４）を、その長手方向に沿って弾性変形することができるように構成する態様は、上記に説明したものに限らない。例えば、接続部３１２（あるいは、導線収容路片１２４）などの一部にバネを介挿する構成としてもよいし、当該機能部を特に撓みやすい性質の材料で形成する構成としてもよい。
【０１１５】
また、接続モジュール１，１ａ，１ｂを構成する複数の分割体を連結する連結構造３０，４０，５０の態様も、上記に説明したものに限らない。例えば、接続部３１２，４１２，５１２と、バスバー収容部３２１，４２１，５２１の後壁１１３とに、互いに係合するスライドレールを形成することにより、連結構造３０，４０，５０を構成してもよい。
【０１１６】
また、電池端子面が電池本体の上向きではなく、側面に設けられていても良い。接続モジュール９２の両端に配置されるバスバー９２２（９２２１）に設けられている１個の貫通穴には、バスバーでなく、電線付き端子で接続されても良い。電池セルが奇数個で組電池を構成する場合、１個の貫通穴を設けた接続モジュールは、端子列９０３の双方に設定される。
【符号の説明】
【０１１７】
１，１ａ，１ｂ  接続モジュール
３，４，５  分割体
１１  バスバー収容部
１２  導線収容路
３０，４０，５０  連結構造
３１，４１，５１  第１分割体
３２，４２，４２  第２分割体
１２４  導線収容路片
３１２，４１２，５１２  接続部
９００  組電池
【図１】
2012004064.tif 000003
【図２】
2012004064.tif 000004
【図３】
2012004064.tif 000005
【図４】
2012004064.tif 000006
【図５】
2012004064.tif 000007
【図６】
2012004064.tif 000008
【図７】
2012004064.tif 000009
【図８】
2012004064.tif 000010
【図９】
2012004064.tif 000011
【図１０】
2012004064.tif 000012
【図１１】
2012004064.tif 000013
【図１２】
2012004064.tif 000014
【図１３】
2012004064.tif 000015
【図１４】
2012004064.tif 000016
【図１５】
2012004064.tif 000017
【図１６】
2012004064.tif 000018
【図１７】
2012004064.tif 000019